(57)【要約】【課題】  本発明は、表示光バーが備えられたハンガーに関するものである。  【解決手段】  商品を掛けて陳列することができる吊り下げバー２を有するハンガーであって、前記吊り下げバー２の端部を曲げて形成された支持部２ａと、前記支持部２ａに支持され、内部に一又は複数の発光体ＬＥＤが設けられた表示光バー３と、前記表示光バー３の下方向端部に設けられ、少なくとも一部が光を透過する部位になっている透明カバー３ｃとからなり、前記一又は複数の発光ダイオードＬＥＤから発せられる色光により前記商品を把握できることを特徴とする。【選択図】図１
2010104789.tif 000002
【特許請求の範囲】
【請求項１】
商品を掛けて陳列することができる吊り下げバー（２）を有するハンガーであって、
前記吊り下げバー（２）の端部を曲げて形成された支持部（２ａ）と、
前記支持部（２ａ）に支持され、内部に一又は複数の発光体（ＬＥＤ）が設けられた表示光バー（３）と、
前記表示光バー（３）の下方向端部に設けられ、少なくとも一部が光を透過する部位になっている透明カバー（３ｃ）とからなり、
前記一又は複数の発光ダイオード（ＬＥＤ）から発せられる色光により前記商品を把握できる
ことを特徴とするハンガー。
【発明の詳細な説明】
【技術分野】
【０００１】
本発明は、表示光バーを備えたハンガーに関する。さらに詳しくは、色光を発光して商品及び商品の陳列位置を視覚的に容易に探しあてるようにするための、表示光バーを備えたハンガーに関する。
【背景技術】
【０００２】
一般的に百貨店、コンビニエンスストア、薬局及びスーパーマーケット等の商店には、商品の陳列棚に多数の商品陳列用ハンガーを並列に設置している。そして、この商品陳列用ハンガーには、衣類、食料品及び日用雑貨品等の各種の商品を掛けて陳列している。各ハンガーの前端部には、陳列された商品の産地、品質、原材料、効能、用途、数量、形状、価格、種類又は製造会社等の情報が記載された小さいタグ等の表示板が設けられている。
【０００３】
特に広い売り場において、需要者は、自分が必要とする商品を探すために、売り場をあちこち迷いながら、表示板に記載された情報によって、必要とする商品を探さなければならない。このため、需要者は、必要とする商品を探すのに多大な努力と時間を費やすという問題点があった。そして、需用者は、時間をかけても商品を探し出すことができないストレスから、商品をあきらめてしまい購買意欲が損なわれるという問題点があった。販売者の立場としては、需要者が必要とする商品を速やかに探せれば、商品の置いてある場所に案内する頻度が少なくなる。販売者は、需用者に対応する時間を割くことができれば、他の作業に専念できるため、営業的にも有利であるが、現在は表示板に頼るしかない実情である。
【０００４】
特許文献としても従来よりいろいろな提案がされている。例えば、発光体の取付け位置を自由に組み替えることができ、又、発光体若しくはその近くへ物を吊り下げることができるフック付きディスプレイライトが知られている（特許文献１参照）。陳列棚から離れた位置でも陳列した商品の欠品や欠品寸前を察知でき、特売商品や推奨商品をランプ等の光で知らせることができる物品係止表示具及び物品陳列棚が知られている（特許文献２参照）。
【０００５】
また、販売員が店舗に配置した多数の商品陳列用フックの中から商品が空になっているものを早期に見つけ出し、特定することを容易にする商品陳列用フックが知られている（特許文献３参照）。さらに、ハンガーバーからの商品の抜き出しを検出杆に従動して音声発信装置が自動的に作動するので、不足しがちな顧客へのサービスが満たされる一方、少数の販売員でも商品の管理が認識でき、万引き等の犯罪を予防することができる商品の陳列器具も知られている（特許文献４参照）。
【先行技術文献】
【特許文献】
【０００６】
【特許文献１】実開平０４−５３２８７号公報
【特許文献２】特開２００６−２１７９５４号公報
【特許文献３】特開２００７−６１４０７号公報
【特許文献４】実開昭５７−１６６７７５号公報
【発明の概要】
【発明が解決しようとする課題】
【０００７】
前述した特許文献１〜３に記載された発明には、発光体が、商品を陳列するハンガーの先端にむき出しに備えられている。このため、発光体の光が、直接目に届くため眩しさが先立ち、不快感が生じるためかえって商品選択の妨げとなる。特に引用文献２に記載された発明のように、商品の情報が記載されたプライスカードの近くに光源があると、目が疲れる。また、発光体がむき出しに備えられていると、商品を選択する需用者又は商品陳列等の作業を手がける販売者等と直接接触する可能性があり破損しやすい。さらに、発光体がむき出しに備えられていると、発光体のもつ熱により、それにふれてしまった、需用者や販売者が火傷を負ってしまう。
【０００８】
このようなむき出しの発光体が、特に、子どもための商品（例えば、おもちゃやお菓子）を陳列するハンガーの先端で破損していたり、熱をもっているのは危険である。このため、販売者は、ハンガーの先端に設けられた発光体の状態を監視する必要も生じ、かえって余計な作業が増してしまうという課題を有するものであった。
【０００９】
また、特許文献４に記載された発明では、商品に関するメッセージは、商品の陳列器具のそばでなければ聞き取れることはできない。このため、遠い場所から、商品が、どの位置にあるのかは把握できない。また、特許文献３に記載された商品の陳列器具は、構成が複雑であり、製造するのにコストがかかってしまうものであった。
【００１０】
本発明は、前述した課題を解決するためになされたもので、次の目的を達成する。本発明の目的は、広い売り場において特定の商品が陳列されている位置を容易に探しあてることができるハンガーを提供することにある。本発明の他の目的は、商品を簡単に掛けて陳列することができるハンガーを提供することにある。本発明の他の目的は、商品が陳列されている位置を示す光が直接目に入ることなく、不快感を生じないように発光体が設けられたハンガーを提供することにある。
【００１１】
本発明の他の目的は、需用者が安全に商品を選択することができるハンガーを提供することにある。本発明の他の目的は、商品陳列等の作業を手がける販売者等が安全に作業を進めることができるハンガーを提供することにある。さらに、本発明の他の目的は、コストを抑え、簡易な構造のハンガーを提供することにある。
【課題を解決するための手段】
【００１２】
本発明は、前記目的を達成するために次の手段をとる。
本発明１のハンガーは、商品を掛けて陳列することができる吊り下げバーを有するハンガーであって、前記吊り下げバーの端部を曲げて形成された支持部と、前記支持部に支持され、内部に一又は複数の発光体が設けられた表示光バーと、前記表示光バーの下方向端部に設けられ、少なくとも一部が光を透過する部位になっている透明カバーとからなり、前記一又は複数の発光ダイオードから発せられる色光により前記商品を把握できることを特徴とする。
【発明の効果】
【００１３】
以上説明したように、本発明のハンガーは、発光ダイオードから発せられる色光により、広い売り場においても、陳列されている商品の位置を容易に探しあてることができるようになった。本発明のハンガーは、表示光バーが上下に揺動するため、商品を簡単に掛けて陳列することができるようになった。本発明のハンガーは、表示光バーの内部に発光ダイオードが設けられているため、商品が陳列されている位置を示す光が直接目に入ることなく、不快感を生じることなく商品の位置がわかるようになった。
【００１４】
本発明のハンガーは、発光ダイオードが表示板の近くに設けられていないため、表示板を直視しても目が疲れることなく商品の情報を把握できるようになった。本発明のハンガーは、発光ダイオードがむき出しに設けられていないので需用者が安全に商品を選択することができるようになった。本発明のハンガーは、発光ダイオードがむき出しに設けられていないので商品陳列等の作業を手がける販売者等が安全に作業を進めることができるようになった。さらに、本発明のハンガーは、簡易な構造で破損しづらいため長期間使用することができ、コストを抑えることができるようになった。
【図面の簡単な説明】
【００１５】
【図１】図１は、本発明の実施の形態を示す外観図である。
【図２】図２は、本発明の実施の形態の一部を断面視した図である。
【図３】図３は、本発明の表示光バーの底面視した図である。
【図４】図４は、本発明のハンガーの使用例を示す側面図である。
【発明を実施するための形態】
【００１６】
図１は、本発明の実施の形態を示す外観図であり、図２は、本発明の実施の形態の一部を断面視した図であり、図３は、表示光バーを底面視した図であり、図４は、本発明のハンガーの使用例を示す側面図である。なお、本実施の形態の説明の便宜上、吊り下げバー２側から表示光バー３側の方向を上方向とし、その逆を下方向として説明する。また、ブラケット１側から表示板掛け４側の方向を前方向とし、その逆を後方向として説明する。
【００１７】
図１及び２において、本発明のハンガーは、ブラケット１、吊り下げバー２、表示光バー３、表示板掛け４及び表示板４ａから構成されている。ブラケット１は、商品陳列装置の被掛止部１０に引っ掛けられるような逆Ｕ字形状の吊り下げ部１ａが形成されている。ブラケット１は、引っ掛けられるような形状であればいかなる形状であっても良い。本実施の形態のブラケット１は、金属製の矩形の一枚板を曲げて形成されている。商品陳列装置には、百貨店、コンビニエンスストア、薬局及びスーパーマーケット等の商店に置かれる商品を陳列するための棚等が用いられる。
【００１８】
図１及び２において、吊り下げバー２は、金属製の棒状部材で形成されている。吊り下げバー２は、包装等が施された商品を吊り下げ陳列することができる（図４参照）。吊り下げバー２の一端は、陳列した商品の抜け止めのため後方向から前方向にかけてやや上方向に曲げられている。吊り下げバー２の他端は、略コの字形状になるように２カ所が略直角に曲げられ支持部２ａが形成されている。吊り下げバー２と支持部２ａは、同じ方向に突出するような略コの字形状に形成されている。支持部２ａは、吊り下げバー２と略平行になるように形成されている。支持部２ａは、吊り下げバー２に比べ短く形成されている。
【００１９】
本実施の形態において、ブラケット１と吊り下げバー２とは、スポット溶接等によって一体に接合されている。図２及び図３に示すように、表示光バー３は、チャンネル３ｇ、発光ダイオードＬＥＤ及び透明カバー３ｃとから構成されている。チャンネル３ｇは、長手の溝形鋼で構成されている。チャンネル３ｇは、長手方向の一端から他端に掛けて溝が形成された断面逆Ｕ字形状の溝形鋼である。チャンネル３ｇは、その内側に６つの発光ダイオードＬＥＤが設けられている。チャンネル３ｇの下端部には、その長手方向に設けられた溝を覆うように、少なくとも一部が光を透過する透明又は半透明の部位になっている透明カバー３ｃが設けられている。
【００２０】
図４に示すように、発光ダイオードＬＥＤは、チャンネル３ｇの内側で下方向に投光するように設けられている。本実施の形態の発光ダイオードＬＥＤは電圧の調整によって色光を変えることができる。例えば、赤色光の作動電圧は、１．８〜２．０Ｖであり、緑色光の作動電圧は、３．０〜３．６Ｖであり、青色光の作動電圧は、３．４〜３．８Ｖである。なお、作動電流は、共通に約２０ｍＡである。
【００２１】
図１及び２に示すように、表示光バー３は、一端に支持部２ａが取り付けられ、他端に表示板掛け４が取り付けられている。表示光バー３は、その軸線と支持部２ａの軸線とが略同一軸線上に位置するように支持部２ａに取り付けられている。表示光バー３は、吊り下げバー２と略平行になるように支持部２ａに取り付けられている。表示光バー３は、一端が支持部２ａにヒンジピン２ｐによって取り付けられている。図２に示すように、表示光バー３は、ヒンジピン２ｐを中心に垂直面内で揺動する。本実施の形態において、表示光バー３は、支持部２ａに支持されているため、支持部２ａより下方向には揺動しないように構成されている。
【００２２】
電源コード線ｄは、チャンネル３ｇの内側で発光ダイオードＬＥＤに接続され電力を供給している。電源コード線ｄは、商品陳列装置や店舗内に設けられた電気配線用差込接続器等につなげられている（図示せず）。表示板掛け４は、表示板４ａが掛けられるように略Ｔ字形状に形成されている。表示板４ａは、表面に商品の産地、品質、原材料、効能、用途、数量、形状、価格、種類又は製造会社等の情報（以下、単に「商品等の情報」という。）を表示する板状の部材である。表示板４ａの背面には、表示板掛け４に掛けることができるフック４ｂが形成されている。
【００２３】
本実施の形態において、商品等の情報は、表示板４ａに直接記載されているが、これに限定されることはない。例えば、表示板４ａは、商品等の情報を記載した紙等が貼り付けられても良い。また、表示板４ａは、商品等の情報を記載した紙を挿入できる少なくとも一部が透明なポケット等を設けても良い。以上がハンガーの基本的構成であるが、次に、ハンガーに商品を陳列する使用方法について説明する。
【００２４】
図２、３及び４に従って、ハンガーに商品を陳列する方法についての説明を行う。ハンガーは、商品の売り場に置かれた商品陳列装置の被掛止部１０に吊り下げ部１ａが掛けられて配置される。商品は、ハンガーの表示光バー３を上方向に持ち上げて、吊り下げバー２に掛けて陳列する。商品は、一般的に包装されており、包装自体に設けられた穴や包装に取り付けられたフックを吊り下げバー２に引っ掛けることで陳列できる。表示光バー３は、持ち上げることができるので、狭い範囲でも吊り下げバー２の後方向にも容易に商品を陳列することができる。なお、商品の包装にフックが取り付けられている場合には、表示光バー３を持ち上げなくても、吊り下げバー２に直接横から掛けて陳列できる。
【００２５】
図２に示すように、表示光バー３は、吊り下げバー２に商品を陳列した後に下ろす。表示光バー３は、その軸線と支持部２ａの軸線とが略同一軸線上に位置するとともに、吊り下げバー２と略平行な位置に維持される。図４に示すように、発光ダイオードＬＥＤは、電源コード線ｄより電力が供給されると、所定の色光を下方向に向けて発光する。本実施の形態において、発光ダイオードＬＥＤは、チャンネル３ｇ内に下方向に向けて配置されている。
【００２６】
このため、発光ダイオードＬＥＤより発光された光は、透明カバー３ｃの光を透過する透明又は半透明の部位を透過して下方向にのみ照らす。需用者は、商品選択に際して、発光ダイオードＬＥＤが発光しているハンガーを直視しても目が眩しくない。つまり、需用者は、発光体である発光ダイオードＬＥＤを直視しないので目が眩しくない。なお、発光ダイオードＬＥＤの色光は、電圧の調整によって必要とする色光に変えることができる。
【００２７】
販売者は、特定商品又は商品の種類等に応じて発光ダイオードＬＥＤが発光する色光を設定しておく。需要者は、それを把握しておけば、売り場において迷わず目的の商品のもとにたどりつける。需用者は、ハンガーの発光ダイオードＬＥＤより発光される色光によって遠くからであっても、特定商品の陳列位置を容易に探しあてることができる。需用者は、商品の陳列位置を探しあてた後、表示板４ａの情報によって、より具体的な商品の情報を把握することができる。需用者は、表示板４ａを直視しても、発光ダイオードＬＥＤを直視することはないので、目が疲れることなく商品の情報を把握できる。需用者は、商品陳列位置の把握、商品の情報の把握が円滑に行われる。このため、需用者の商品が見つからないことによる購買意欲の低下を防ぐことができる。
【００２８】
販売者は、発光ダイオードＬＥＤの発光する色光がなんの商品を示しているのかを把握しておく。これにより、販売者は、需用者に商品の陳列位置を円滑に知らせることができる。販売者が、商品の陳列位置の円滑に知らせることができるようになれば、需用者の満足度が向上し、店舗のイメージアップにもつながり、しいては営業的利点が生じる。本発明のハンガーは、構造が簡単で、製作が容易であり、故障が殆んど無いので、各種の商品を陳列する売り場で長期間にわたり有用に使用が可能である。
【００２９】
以上、本発明の実施の形態について説明を行ったが、本発明はこの実施の形態に限定されることはない。本発明の目的、趣旨を変更しない範囲内で変更が可能であることはいうまでもない。例えば、発光ダイオードＬＥＤは、６つに限られず一又は複数であれば良い。チャンネル３ｇは、断面逆Ｕ字形状のもので説明したが、断面コの字形状又は断面Ｃ字形状のものでも良い。また、発光体は、発光ダイオードに限らず他の光源でも良い。さらに、ブラケット１及び吊り下げバーは、金属製であることを前提に説明したが、合成樹脂などで一体に成形されたものでも良い。
【符号の説明】
【００３０】
１：ブラケット
１ａ：吊り下げ部
２：吊り下げバー
２ａ：支持部
２ｐ：ヒンジピン
３：表示光バー
４：表示板掛け
４ａ：表示板
４ｂ：フック
ＬＥＤ：発光ダイオード
【図１】
2010104789.tif 000003
【図２】
2010104789.tif 000004
【図３】
2010104789.tif 000005
【図４】
2010104789.tif 000006